(57)【要約】【課題】  無線周波数を効率的に利用すると共に、無線区間におけるＱｏＳ保証を図る。【解決手段】  ＱｏＳ情報、優先度情報および無線区間のアクセス権の割当て状況に基づき、無線フローが無線区間にアクセスするための権利を取得する際の緊急の度合いを表す緊急度を算出し、フロータグを生成するフロータグ生成・更新部２１と、緊急度に基づいて一つのアクセス権が有効となる期間を複数含む長区間においてアクセス権を割当てる無線フローの候補を選別する長区間選別部２３と、無線状態パラメータに基づいて前記選別された候補の中からアクセス権が有効となる期間ごとにアクセス権を割当てる無線フローを選択する短区間選別部２４とを備える。【選択図】    図３
2006157797.tif 000002
【特許請求の範囲】
【請求項１】
無線区間のアクセス権を無線フロー別に割当てるスケジューリングを行う無線スケジューリング装置において、
無線フローが要求するＱｏＳの情報を有するフロー情報を入力するフロー情報入力手段と、
前記無線区間における無線伝搬路の状態を表す無線状態パラメータを入力する無線状態パラメータ入力手段と、
前記アクセス権の割当て状況を記憶する記憶手段と、
前記フロー情報および前記アクセス権の割当て状況に基づき、無線フローが無線区間にアクセスするための権利を取得する際の緊急の度合いを表す緊急度を算出する緊急度算出手段と、
前記緊急度に基づいて、一つの前記アクセス権が有効となる期間を複数含む長区間において前記アクセス権を割当てる無線フローの候補を選別する長区間選別手段と、
前記無線状態パラメータに基づいて、前記選別された候補の中から、前記アクセス権が有効となる期間ごとに、前記アクセス権を割当てる無線フローを選択する短区間選別手段と、
を備えたことを特徴とする無線スケジューリング装置。
【請求項２】
無線区間のアクセス権を無線フロー別に割当てるスケジューリングを行う無線スケジューリング装置において、
無線フローが要求するＱｏＳの情報を入力するＱｏＳ情報入力手段と、
無線フローに与えられた優先度情報を入力する優先度情報入力手段と、
前記無線区間における無線伝搬路の状態を表す無線状態パラメータを入力する無線状態パラメータ入力手段と、
前記アクセス権の割当て状況を記憶する記憶手段と、
前記ＱｏＳ情報、前記優先度情報および前記アクセス権の割当て状況に基づき、無線フローが無線区間にアクセスするための権利を取得する際の緊急の度合いを表す緊急度を算出する緊急度算出手段と、
前記緊急度に基づいて、一つの前記アクセス権が有効となる期間を複数含む長区間において前記アクセス権を割当てる無線フローの候補を選別する長区間選別手段と、
前記無線状態パラメータに基づいて、前記選別された候補の中から、前記アクセス権が有効となる期間ごとに、前記アクセス権を割当てる無線フローを選択する短区間選別手段と、
を備えたことを特徴とする無線スケジューリング装置。
【請求項３】
前記緊急度算出手段は、前記ＱｏＳ情報に含まれるパケット許容可能最大遅延時間と、前記無線区間へのパケットの送信停止継続期間とに基づき、無線フローのパケットを無線区間に送信しなければならない時点までの残り時間の度合いを算出することを特徴とする請求項１又は２に記載の無線スケジューリング装置。
【請求項４】
前記長区間選別手段は、前記無線状態パラメータに基づき、前記緊急度算出手段の計算結果に対して重み付けを行うことを特徴とする請求項１又は２に記載の無線スケジューリング装置。
【請求項５】
前記短区間選別手段は、前記無線伝搬路の状態がよいものから順に無線フローを選択することを特徴とする請求項１又は２に記載の無線スケジューリング装置。
【請求項６】
無線区間のアクセス権を無線フロー別に割当てて前記無線区間の通信を制御する無線装置において、
無線フローごとに、無線フローが要求するＱｏＳの情報を有するフロー情報を取得するフロー情報取得手段と、
前記無線区間における無線伝搬路の状態を表す無線状態パラメータを無線フローに対応する前記無線伝搬路ごとに測定する無線状態測定手段と、
前記フロー情報および前記無線状態パラメータを使用して、前記無線区間のアクセス権を無線フロー別に割当てるスケジューリングを行う請求項１、３、４、５のいずれかの項に記載の無線スケジューリング装置と、
を備えたことを特徴とする無線装置。
【請求項７】
無線区間のアクセス権を無線フロー別に割当てて前記無線区間の通信を制御する無線装置において、
無線フローごとに、無線フローが要求するＱｏＳの情報を取得するＱｏＳ情報取得手段と、
無線フローごとに、無線フローに与えられた優先度情報を取得する優先度情報取得手段と、
前記無線区間における無線伝搬路の状態を表す無線状態パラメータを無線フローに対応する前記無線伝搬路ごとに測定する無線状態測定手段と、
前記ＱｏＳ情報、前記優先度情報および前記無線状態パラメータを使用して、前記無線区間のアクセス権を無線フロー別に割当てるスケジューリングを行う請求項２から５のいずれかの項に記載の無線スケジューリング装置と、
を備えたことを特徴とする無線装置。
【請求項８】
無線区間のアクセス権を無線フロー別に割当てるスケジューリングを行う無線スケジューリング方法であって、
無線フローが要求するＱｏＳの情報を有するフロー情報を入力する過程と、
前記無線区間における無線伝搬路の状態を表す無線状態パラメータを入力する過程と、
前記フロー情報および前記アクセス権の割当て状況に基づき、無線フローが無線区間にアクセスするための権利を取得する際の緊急の度合いを表す緊急度を算出する過程と、
前記緊急度に基づいて、一つの前記アクセス権が有効となる期間を複数含む長区間において前記アクセス権を割当てる無線フローの候補を選別する過程と、
前記無線状態パラメータに基づいて、前記選別された候補の中から、前記アクセス権が有効となる期間ごとに、前記アクセス権を割当てる無線フローを選択する過程と、
前記アクセス権の割当て状況を記憶する過程と、
を含むことを特徴とする無線スケジューリング方法。
【請求項９】
無線区間のアクセス権を無線フロー別に割当てるスケジューリングを行う無線スケジューリング方法であって、
無線フローが要求するＱｏＳの情報を入力する過程と、
無線フローに与えられた優先度情報を入力する過程と、
前記無線区間における無線伝搬路の状態を表す無線状態パラメータを入力する過程と、
前記ＱｏＳ情報、前記優先度情報および前記アクセス権の割当て状況に基づき、無線フローが無線区間にアクセスするための権利を取得する際の緊急の度合いを表す緊急度を算出する過程と、
前記緊急度に基づいて、一つの前記アクセス権が有効となる期間を複数含む長区間において前記アクセス権を割当てる無線フローの候補を選別する過程と、
前記無線状態パラメータに基づいて、前記選別された候補の中から、前記アクセス権が有効となる期間ごとに、前記アクセス権を割当てる無線フローを選択する過程と、
前記アクセス権の割当て状況を記憶する過程と、
を含むことを特徴とする無線スケジューリング方法。
【発明の詳細な説明】
【技術分野】
【０００１】
本発明は、移動体通信システムに係り、特に、無線スケジューリング装置、無線スケジューリング方法および無線装置に関する。
【背景技術】
【０００２】
近年の移動体通信ビジネスでは、通信データ量の増大と通信の多様化を実現する通信サービスがユーザから求められつつある。例えば、従来の音声通話やデータ通信（電子メール、Ｗｅｂページの閲覧、小容量のコンテンツのダウンロード）などに加えて、大容量の動画コンテンツをリアルタイムにストリーミング形式で配信したり、マルチキャスト形式で配信することなどが要望されている。従来の移動体通信システムでは、一般的にパケットを用いたデータ通信をサポートするように構成されているが、そのような多種多様な通信の要求に応えるためには、移動体通信システムの広帯域化、大容量化に加えて、通信の種類に応じたＱｏＳ（Quality of Service）を保証することが必要となる。また、ユーザやコンテンツの課金状態などから決定される優先度など、コンテンツの種類だけでなくサービスの多様化にも柔軟に対応してゆく必要がある。
【０００３】
従来の移動体通信システムにおけるパケット通信では、無線区間のアクセス権を無線フロー別に割当てるスケジューリング（以下、無線スケジューリングと称する）を行う際、ＱｏＳ保証を行わない“Best Effort”や、その派生技術であるプロポーショナルフェアネスアルゴリズムなどに基づいてアクセス権の割当てを行っている（例えば、非特許文献１、２参照）。これらの技術は無線周波数の利用効率の最大化を基本的な設計指針としており、各ユーザの無線伝搬状態に応じて無線フローのスケジューリングを行っている。なお、無線フローとは、無線区間へのアクセスが発生する通信単位のことをいう。
【非特許文献１】V. Bharghavan, S. Lu and T. Nandagopal, “Fair Queueing in Wireless Networks: Issues and Approaches,” IEEE Personal Communications, Feb. 1999.
【非特許文献２】M. Jeong, H. Morikawa and T. Aoyama, “A Fair Scheduling Algorithm for Wireless Packet Networks,” IEICE Trans. On Fundamentals. Vol.84, no.7, pp.1624-1635, July 2001.
【発明の開示】
【発明が解決しようとする課題】
【０００４】
ここで、上述した従来の移動通信パケットシステムでは、無線スケジューリング時にＱｏＳ保証を行っていないので、上記した通信データ量の増大とコンテンツやサービスの多様化に対して充分に対応することができない。
【０００５】
本発明は、このような事情を考慮してなされたもので、その目的は、無線周波数を効率的に利用すると共に、無線区間におけるＱｏＳ保証を図ることができる無線スケジューリング装置、無線スケジューリング方法を提供することにある。
【０００６】
また、本発明の他の目的は、本発明の無線スケジューリング装置を備えた無線装置を提供することにある。
【課題を解決するための手段】
【０００７】
上記の課題を解決するために、本発明に係る無線スケジューリング装置は、無線区間のアクセス権を無線フロー別に割当てるスケジューリングを行う無線スケジューリング装置において、無線フローが要求するＱｏＳの情報を有するフロー情報を入力するフロー情報入力手段と、前記無線区間における無線伝搬路の状態を表す無線状態パラメータを入力する無線状態パラメータ入力手段と、前記アクセス権の割当て状況を記憶する記憶手段と、前記フロー情報および前記アクセス権の割当て状況に基づき、無線フローが無線区間にアクセスするための権利を取得する際の緊急の度合いを表す緊急度を算出する緊急度算出手段と、前記緊急度に基づいて、一つの前記アクセス権が有効となる期間を複数含む長区間において前記アクセス権を割当てる無線フローの候補を選別する長区間選別手段と、前記無線状態パラメータに基づいて、前記選別された候補の中から、前記アクセス権が有効となる期間ごとに、前記アクセス権を割当てる無線フローを選択する短区間選別手段とを備えたことを特徴とする。
【０００８】
本発明に係る無線スケジューリング装置は、無線区間のアクセス権を無線フロー別に割当てるスケジューリングを行う無線スケジューリング装置において、無線フローが要求するＱｏＳの情報を入力するＱｏＳ情報入力手段と、無線フローに与えられた優先度情報を入力する優先度情報入力手段と、前記無線区間における無線伝搬路の状態を表す無線状態パラメータを入力する無線状態パラメータ入力手段と、前記アクセス権の割当て状況を記憶する記憶手段と、前記ＱｏＳ情報、前記優先度情報および前記アクセス権の割当て状況に基づき、無線フローが無線区間にアクセスするための権利を取得する際の緊急の度合いを表す緊急度を算出する緊急度算出手段と、前記緊急度に基づいて、一つの前記アクセス権が有効となる期間を複数含む長区間において前記アクセス権を割当てる無線フローの候補を選別する長区間選別手段と、前記無線状態パラメータに基づいて、前記選別された候補の中から、前記アクセス権が有効となる期間ごとに、前記アクセス権を割当てる無線フローを選択する短区間選別手段とを備えたことを特徴とする。
【０００９】
本発明に係る無線スケジューリング装置においては、前記緊急度算出手段は、前記ＱｏＳ情報に含まれるパケット許容可能最大遅延時間と、前記無線区間へのパケットの送信停止継続期間とに基づき、無線フローのパケットを無線区間に送信しなければならない時点までの残り時間の度合いを算出することを特徴とする。
【００１０】
本発明に係る無線スケジューリング装置においては、前記長区間選別手段は、前記無線状態パラメータに基づき、前記緊急度算出手段の計算結果に対して重み付けを行うことを特徴とする。
【００１１】
本発明に係る無線スケジューリング装置においては、前記短区間選別手段は、前記無線伝搬路の状態がよいものから順に無線フローを選択することを特徴とする。
【００１２】
本発明に係る無線装置は、無線区間のアクセス権を無線フロー別に割当てて前記無線区間の通信を制御する無線装置において、無線フローごとに、無線フローが要求するＱｏＳの情報を有するフロー情報を取得するフロー情報取得手段と、前記無線区間における無線伝搬路の状態を表す無線状態パラメータを無線フローに対応する前記無線伝搬路ごとに測定する無線状態測定手段と、前記フロー情報および前記無線状態パラメータを使用して、前記無線区間のアクセス権を無線フロー別に割当てるスケジューリングを行う請求項１、３、４、５のいずれかの項に記載の無線スケジューリング装置とを備えたことを特徴とする。
【００１３】
本発明に係る無線装置は、無線区間のアクセス権を無線フロー別に割当てて前記無線区間の通信を制御する無線装置において、無線フローごとに、無線フローが要求するＱｏＳの情報を取得するＱｏＳ情報取得手段と、無線フローごとに、無線フローに与えられた優先度情報を取得する優先度情報取得手段と、前記無線区間における無線伝搬路の状態を表す無線状態パラメータを無線フローに対応する前記無線伝搬路ごとに測定する無線状態測定手段と、前記ＱｏＳ情報、前記優先度情報および前記無線状態パラメータを使用して、前記無線区間のアクセス権を無線フロー別に割当てるスケジューリングを行う請求項２から５のいずれかの項に記載の無線スケジューリング装置とを備えたことを特徴とする。
【００１４】
本発明に係る無線スケジューリング方法は、無線区間のアクセス権を無線フロー別に割当てるスケジューリングを行う無線スケジューリング方法であって、無線フローが要求するＱｏＳの情報を有するフロー情報を入力する過程と、前記無線区間における無線伝搬路の状態を表す無線状態パラメータを入力する過程と、前記フロー情報および前記アクセス権の割当て状況に基づき、無線フローが無線区間にアクセスするための権利を取得する際の緊急の度合いを表す緊急度を算出する過程と、前記緊急度に基づいて、一つの前記アクセス権が有効となる期間を複数含む長区間において前記アクセス権を割当てる無線フローの候補を選別する過程と、前記無線状態パラメータに基づいて、前記選別された候補の中から、前記アクセス権が有効となる期間ごとに、前記アクセス権を割当てる無線フローを選択する過程と、前記アクセス権の割当て状況を記憶する過程とを含むことを特徴とする。
【００１５】
本発明に係る無線スケジューリング方法は、無線区間のアクセス権を無線フロー別に割当てるスケジューリングを行う無線スケジューリング方法であって、無線フローが要求するＱｏＳの情報を入力する過程と、無線フローに与えられた優先度情報を入力する過程と、前記無線区間における無線伝搬路の状態を表す無線状態パラメータを入力する過程と、前記ＱｏＳ情報、前記優先度情報および前記アクセス権の割当て状況に基づき、無線フローが無線区間にアクセスするための権利を取得する際の緊急の度合いを表す緊急度を算出する過程と、前記緊急度に基づいて、一つの前記アクセス権が有効となる期間を複数含む長区間において前記アクセス権を割当てる無線フローの候補を選別する過程と、前記無線状態パラメータに基づいて、前記選別された候補の中から、前記アクセス権が有効となる期間ごとに、前記アクセス権を割当てる無線フローを選択する過程と、前記アクセス権の割当て状況を記憶する過程とを含むことを特徴とする。
【発明の効果】
【００１６】
本発明によれば、緊急度や優先度に応じた長区間での無線フローの選別を行い、この選別結果に対してさらに無線伝搬路の状態に応じた短区間での無線フローの選別を行うことにより、無線周波数を効率的に利用すると共に、無線区間におけるＱｏＳ保証や優先制御を行うことができる。
【発明を実施するための最良の形態】
【００１７】
以下、図面を参照し、本発明の一実施形態について説明する。
図１は、本発明の一実施形態に係る移動体通信システムの構成を示すブロック図である。図１において、基地局１は移動端末２との間で無線によりデータを送受信する。基地局１はパケット交換機能を有している。移動端末２は、基地局１を介して通話やパケット通信を行うことができる。
【００１８】
図２は、本実施形態に係る基地局（無線装置）１の構成を示すブロック図である。図２に示される基地局１は、時分割複信（ＴＤＤ；Time Division Duplex）方式であり、送受信に同じ無線周波数を使用して、移動端末１への送信と移動端末２からの受信とを時分割で行う。したがって、基地局１と移動端末２間の無線区間における無線伝搬路は送受信で同じとなる。なお、図２には、ＴＤＤ方式の基地局における、基地局から移動端末へ送信する際の無線スケジューリングを行う構成を示しており、その他の構成は省略している。
【００１９】
図２において、送信バッファ１１は、ネットワークから受信したユーザデータのパケットを記憶し、無線区間に送信するパケットを一時的に蓄積するためのものである。送信バッファ１１は、無線フローごとにパケットを区別して記憶する。
【００２０】
無線フレーム生成部１２は、無線区間に送出される無線フレームを生成する。無線フレーム生成部１２は、スケジューラ１６から指示された無線フローのパケットを送信バッファ１１から読み出し、該読み出したパケットを格納した無線フレームを生成して無線部１３へ出力する。
【００２１】
無線部１３は、無線フレーム生成部１２から受け取った無線フレームをアンテナ１４を介して無線送信する。また、無線部１３は、アンテナ１４を介して受信した無線信号の受信状態を表す情報をＣＮＲ測定部１５に出力する。
【００２２】
ＣＮＲ測定部１５は、無線部１３から受け取った情報に基づき、移動端末２ごとにＣＮＲ（Carrier to Noise Ratio）を測定する。図２の基地局１はＴＤＤ方式であるので、該測定結果のＣＮＲは無線区間の送受信の双方向に有効である。ＣＮＲ測定部１５は、移動端末２ごとに、瞬間的なＣＮＲ（瞬時ＣＮＲ）と、該瞬時ＣＮＲを平均した平均ＣＮＲとを測定し、これら測定結果をスケジューラ１６に出力する。
【００２３】
なお、本実施形態では、無線区間における無線伝搬路の状態を表す無線状態パラメータとして、ＣＮＲを用いている。また、ある移動端末に対して測定されたＣＮＲは、当該移動端末に係る無線フローに対応する無線伝搬路の状態を表すものである。また、マルチキャリアシステムにおいては、ＣＮＲの測定はキャリアごとにも行われる必要がある。同様に平均ＣＮＲに関しても、キャリアごとの平均ＣＮＲや全キャリアの平均ＣＮＲを求める必要がある。
【００２４】
スケジューラ１６は、無線フローごとにフロー情報をネットワークから受信する。フロー情報は、無線フローを特定可能な識別情報と、当該無線フローが要求するＱｏＳの情報（ＱｏＳ情報）および当該無線フローの優先度情報とを有する。スケジューラ１６は、該ＱｏＳ情報および優先度情報と、ＣＮＲ測定部１５から受け取ったＣＮＲ情報（瞬時ＣＮＲおよび平均ＣＮＲ）とに基づいて、無線スケジューリングを行う。そして、そのスケジューリング結果に基づき、無線フレームごとに、パケットを格納する対象の無線フローを、該当する無線フロー識別情報を出力することにより無線フレーム生成部１２に指示する。
【００２５】
図３は、本実施形態に係るスケジューラ（無線スケジューリング装置）１６の構成を示すブロック図である。
図３において、フロータグ生成・更新部２１は、フロー情報（ＱｏＳ情報と優先度情報）およびＣＮＲ情報を使用して、無線フローごとにフロータグを生成する。そして、生成したフロータグを該当する無線フロー識別情報に対応付けてフロータグ記憶部２２に記憶させる。また、フロータグ記憶部２２に記憶されているフロータグの更新を行う。フロータグとは、無線フローに関するスケジューリングに係るパラメータセットのことをいう。
【００２６】
フロータグに有されるパラメータには、ＱｏＳ情報、優先度情報、緊急度、経過フレーム数、瞬時ＣＮＲ、平均ＣＮＲおよび送信フラグが含まれる。
【００２７】
上記優先度情報は、ユーザクラスを示すパラメータを有する。ユーザクラスには、通信サービスを提供する際のユーザやコンテンツの課金情報などに基づく優先度に応じて複数の種類のクラスが設けられている。例えば、最高の優先度を有するプレミアムユーザのクラスや標準の優先度を有するノーマルユーザのクラスなどである。
【００２８】
上記ＱｏＳ情報は、当該無線フローが要求するＱｏＳを表すものであり、ＱｏＳクラスを示すパラメータと、フローＱｏＳを示すパラメータとを有する。
ＱｏＳクラスには、通信アプリケーションの種類に応じて複数の種類のクラスが設けられている。例えば、固定の通信速度が要求される通信アプリケーション用のＣＢＲ（固定ビットレート）クラス、リアルタイム性および可変の通信速度が要求される通信アプリケーション用のｒｔ−ＶＢＲ（リアルタイム可変ビットレート）クラス、リアルタイム性は要求されないが可変の通信速度が要求される通信アプリケーション用のｎｒｔ−ＶＢＲ（非リアルタイム可変ビットレート）クラス、特に通信速度の要求がない通信アプリケーション用のＵＢＲ（未指定ビットレート）クラス、最小の通信速度のみが要求される通信アプリケーション用のＡＢＲ（使用可能ビットレート）クラスなどである。なお、上記したＣＢＲ、ｒｔ−ＶＢＲ、ｎｒｔ−ＶＢＲ、ＵＢＲおよびＡＢＲは、ＡＴＭ（非同期転送モード）フォーラムで規定されている。
【００２９】
フローＱｏＳには、送信端末のパケット送信速度、パケットの許容可能な最大遅延時間（パケット許容可能最大遅延時間）、及びパケットの許容可能な損失率（パケット許容可能損失率）が含まれる。
【００３０】
上記緊急度は、当該無線フローが無線区間にアクセスするための権利を取得する際の緊急の度合いを表すものである。本実施形態の緊急度（Ｐ）は単調増加する関数によって与えられる。緊急度（Ｐ）の計算式の一例を（１）式に示す。この値Ｐが大きい程に、より緊急を要することを表す。
Ｐ＝１／（待機可能フレーム数−経過フレーム数）  ・・・（１）
但し、待機可能フレーム数は、当該無線フローのパケットを無線区間に送信することを停止し続けることが許される最大の期間に相当する無線フレーム数である。具体的には、待機可能フレーム数は、上記したフローＱｏＳ内のパケット許容可能最大遅延時間に相当する無線フレーム数として算出される。
また、経過フレーム数は、フロータグ内の一パラメータであって、当該無線フローのパケットに関し、無線区間への前回の送信時点から送信を停止し続けている期間に相当する無線フレーム数である。経過フレーム数は、無線区間のアクセス権の割当て状況を表すパラメータである。
なお、本実施形態の緊急度とは、言い換えれば、当該無線フローのパケットを無線区間に送信しなければならない時点までの残り時間の度合いである。
【００３１】
上記送信フラグは、一定の期間（後述する長区間）において無線区間のアクセス権を割当てる無線フローの候補であることを表すフラグである。
【００３２】
図３に戻り、フロータグ記憶部２２は、無線フロー識別情報およびフロータグを対応付けて記憶する。フロータグ記憶部２２は、上記したフロータグ生成・更新部２１の他、長区間選別部２３および短区間選別部２４からアクセス可能である。
【００３３】
長区間選別部２３は、所定の期間（長区間）ごとに、次の長区間において無線区間のアクセス権を割当てる無線フローの候補を選別する。この長区間での無線フローの選別は、上記した緊急度、優先度および平均ＣＮＲに基づいて行う。長区間選別部２３は、該選別した候補のフロータグ内の送信フラグをオンし、この後、長区間選別の終了を短区間選別部２４に通知する。
【００３４】
なお、上記長区間は、複数の無線フレームを有する期間として予め設定される。また、一無線フレームの期間は、無線区間の一つのアクセス権が有効となる期間である。
【００３５】
短区間選別部２４は、長区間選別部２３から長区間選別の終了の通知を受けると、送信フラグがオンされている無線フローの中から、無線フレーム（短区間）ごとに実際に無線区間のアクセス権を割当てる無線フローを選択する。この短区間での無線フローの選別は、瞬時ＣＮＲに基づいて行う。短区間での無線フローの選別結果は、上記図２の無線フレーム生成部１２に出力される。これにより、次の長区間内の各無線フレームごとに無線区間のアクセス権を割当てる無線フローが、無線フレーム生成部１２に通知される。なお、短区間選別部２４において選別される無線フローの数は、本発明が適用されるシステムにおいて同時間に送信可能な無線フローの数により決定される。
【００３６】
また、短区間選別部２４は、フロータグ生成・更新部２１に対して、フロータグの更新を指示する。
【００３７】
次に、図４を参照して、上記図３のスケジューラ１６に係る動作を説明する。
図４は、図３に示すスケジューラ１６の動作フローを示すフローチャートである。
図４において、先ず、各部の初期化を行う（ステップＳ１）。この初期化において、フロータグ生成・更新部２１は、各無線フローのフロータグを生成してフロータグ記憶部２２に記憶させる。フロータグ内のＱｏＳ情報、優先度情報、瞬時ＣＮＲおよび平均ＣＮＲには、スケジューラ１６に入力された各情報がそのまま設定される。また、経過フレーム数は初期値“０”に設定される。また、送信フラグは初期値“オフ”に設定される。また、緊急度は、上記（１）式により算出された値Ｐが設定される。
【００３８】
次いで、長区間選別部２３は、各無線フローのフロータグ内の緊急度、優先度および平均ＣＮＲをフロータグ記憶部２２から読み出し、読み出した緊急度、優先度および平均ＣＮＲに基づいて長区間での無線フローの選別を行う（ステップＳ２）。具体的には、無線フローを緊急度の高いものから順にランキング付けし、このランキング結果に対して優先度と平均ＣＮＲにより重み付けを行う。優先度による重み付けの例としては、プレミアムユーザとノーマルユーザの優先度をそれぞれＰｒＰ、ＰｒＮとし、その値を積算して再度ランキング付けを行う。平均ＣＮＲによる重み付けの例としては、平均ＣＮＲが一定の通信速度を確保できる値（例えば所定のＣＮＲ値）以上である場合に１を積算し、一方、確保できない場合には０を積算し、再度ランキング付けを行う。そして、そのランキング付けした無線フローの中から、所定数を選択する。この所定数は、長区間に相当する無線フレーム数以上の値である。そして、その選択した無線フローのフロータグ内の送信フラグをオンする書き込みをフロータグ記憶部２２に対して行う。この後、長区間選別の終了を短区間選別部２４に通知する。なお、長区間選別部２３は、ステップＳ２の長区間選別処理を長区間ごとに実行する。
【００３９】
次いで、短区間選別部２４は、変数ａを“０”に初期化する（ステップＳ３）。この変数ａは、短区間での無線フローの選別回数を表す。
【００４０】
次いで、短区間選別部２４は、送信フラグがオンされている無線フローのフロータグ内の瞬時ＣＮＲをフロータグ記憶部２２から読み出し、読み出した瞬時ＣＮＲに基づいて短区間での無線フローの選別を行う（ステップＳ４）。具体的には、送信フラグがオンされている無線フローの中から、瞬時ＣＮＲが最大である無線フローを選択する。そして、この選択した無線フローの識別情報を無線フレーム生成部１２へ通知する。これにより、次の長区間内の一無線フレームに無線区間のアクセス権を割当てる一無線フローが、無線フレーム生成部１２に通知される。そして、短区間選別部２４は、その無線フレーム生成部１２に通知した無線フローのフロータグ内の送信フラグをオフする書き込みをフロータグ記憶部２２に対して行う。
なお、マルチキャリアシステムにおいては、上記ステップＳ４で、各キャリアの瞬時ＣＮＲを元に無線フローがキャリアごとに選択される。
【００４１】
次いで、短区間選別部２４は、フロータグ生成・更新部２１に対して短区間タグ更新を指示する。この指示により、フロータグ生成・更新部２１は、新たに入力された瞬時ＣＮＲを使用して、各無線フローのフロータグ内の瞬時ＣＮＲを更新する書き込みをフロータグ記憶部２２に対して行う（ステップＳ５）。
【００４２】
次いで、短区間選別部２４は、変数ａを１カウントアップする（ステップＳ６）。次いで、変数ａと“長区間／短区間”の値とを比較する（ステップＳ７）。“長区間／短区間”の値は、一長区間の間に行う短区間選別回数を表すものであり、所定値である。その比較の結果、変数ａが“長区間／短区間”の値に満たなければ（ステップＳ７がＹＥＳ）、ステップＳ４に戻り、次の短区間での無線フローの選別を行う。これにより、瞬時ＣＮＲの大きいものから順に、短区間選別回数と同じ数の無線フローが選択されて無線フレーム生成部１２に通知される。
【００４３】
一方、変数ａが“長区間／短区間”の値以上ならば（ステップＳ７がＮＯ）、ステップＳ８に進み、短区間選別部２４は、フロータグ生成・更新部２１に対して長区間タグ更新を指示する。この指示により、フロータグ生成・更新部２１は、新たに入力された平均ＣＮＲおよび瞬時ＣＮＲを使用して、各無線フローのフロータグ内の平均ＣＮＲおよび瞬時ＣＮＲを更新する書き込みをフロータグ記憶部２２に対して行う。さらに、送信フラグがオンのままである無線フローに関し、そのフロータグ内の経過フレーム数に“長区間／短区間”の値を加算して当該経過フレーム数を更新する書き込みをフロータグ記憶部２２に対して行う。さらに、各無線フローの緊急度を上記（１）式により再計算し、この計算結果の値Ｐにより緊急度を更新する書き込みをフロータグ記憶部２２に対して行う。さらに、各無線フローの送信フラグを全てオフする書き込みをフロータグ記憶部２２に対して行う。
【００４４】
次いで、無線スケジューリング処理が継続ならば（ステップＳ９がＮＯ）、ステップＳ２に戻り、さらに次の長区間での無線フローの選別を行う。一方、無線スケジューリング処理が終了ならば（ステップＳ９がＹＥＳ）、図４の処理を終了する。
【００４５】
上述したように本実施形態によれば、長区間での無線フローの選別を行い、この選別結果に対してさらに短区間での無線フローの選別を行う二段階選別により、無線スケジューリングを行う。
その長区間での選別では、各無線フローの緊急度に応じて無線フローを選択することにより、無線区間におけるＱｏＳ保証を図ることができる。さらには平均ＣＮＲに基づいて重み付けを行うことにより、一定の通信速度を確保して無線区間の通信を行うようにするなどの制御を行うことができるので、無線区間の通信スループットを向上させることが可能となる。また、優先度による重み付けにより、課金情報などによるユーザの状態に応じたサービスを提供することが可能となる。
一方、短区間での選別では、瞬時ＣＮＲに基づいて無線伝搬路の状態がよいものから順に無線フローを選択することにより、無線周波数の利用効率の最大化を図ることができる。
【００４６】
なお、上述した実施形態では、緊急度、優先度および平均ＣＮＲに基づいて長区間での無線フローの選別を行ったが、緊急度のみに基づいて長区間での無線フローの選別を行ってもよい。
【００４７】
また、上述した実施形態では、長区間選別部２３が優先度に基づいて緊急度の重み付けを行ったが、フロータグ生成・更新部２１が上記（１）式の計算結果に対して予め優先度による重み付けを行うようにしてもよい。
【００４８】
なお、上述した実施形態では、図２にＴＤＤ方式の基地局における、基地局から移動端末へ送信する際の無線スケジューリングを行う構成を示したが、周波数分割複信（ＦＤＤ；Frequency Division Duplex）方式の基地局にも同様に適用可能である。ＦＤＤ方式の場合には、送受信で異なる無線周波数を使用するので、基地局と移動端末間の無線区間における無線伝搬路は送受信で異なる。したがって、基地局から移動端末へ送信する際の無線スケジューリングには、移動端末が受信した無線信号に基づいて測定したＣＮＲ情報（平均ＣＮＲおよび瞬時ＣＮＲ）が必要となる。このため、移動端末が測定したＣＮＲ情報を取得する手段をＦＤＤ方式の基地局に設けることにより、ＦＤＤ方式の基地局において基地局から移動端末へ送信する際の無線スケジューリングを行うことができる。
【００４９】
また、移動端末から基地局へ送信する際の無線スケジューリングを行う場合にも、本実施形態に係るスケジューラを同様に適用することができる。図５は、本実施形態に係る基地局（無線装置）１において、移動端末から基地局へ送信する際の無線スケジューリングを行う構成を示すブロック図である。この図５において図２の各部に対応する部分には同一の符号を付け、その説明を省略する。
【００５０】
移動端末から基地局へ送信する際の無線スケジューリングには、基地局が受信した無線信号に基づいて測定したＣＮＲ情報（平均ＣＮＲおよび瞬時ＣＮＲ）を使用する。このことから図５の構成はＴＤＤおよびＦＤＤの双方の方式に共通である。
【００５１】
図５では、フロー仮想部３１が設けられている。
図５において、フロー仮想部３１には、受信部１３ａにより移動端末から受信したフロー送信要求とネットワークからの優先度情報とが入力される。フロー送信要求は、移動端末が無線区間を介して行う通信のＱｏＳ情報を有する。フロー仮想部３１は、該フロー送信要求とネットワークからの優先度情報とに基づいて、当該無線フローのフロー情報を生成する。このフロー情報はスケジューラ１６に出力される。
【００５２】
ＣＮＲ測定部１５は、受信部１３ａによりアンテナ１４を介して受信した無線信号に基づき、ＣＮＲ情報（平均ＣＮＲおよび瞬時ＣＮＲ）を測定する。このＣＮＲ情報はスケジューラ１６に出力される。
【００５３】
スケジューラ１６は、入力されたフロー情報およびＣＮＲ情報を使用して、上記図４の無線スケジューリング処理を実行する。この無線スケジューリング処理により選択した無線フローに対応する移動端末に対して、フロー送信要求に対する応答を送信部１３ｂによりアンテナ１４を介して送信する。
【００５４】
これにより、フロー送信要求に対する応答を受信した移動端末は、無線区間のアクセス権を得て無線送信することができる。さらに、そのアクセス権は、ＱｏＳ保証および無線周波数の効率的使用を図ることができるように割当てられる。
【００５５】
以上、本発明の実施形態を図面を参照して詳述してきたが、具体的な構成はこの実施形態に限られるものではなく、本発明の要旨を逸脱しない範囲の設計変更等も含まれる。
例えば、上述した実施形態では、無線区間における無線伝搬路の状態を表す無線状態パラメータとして、ＣＮＲを測定して無線スケジューリングに使用したが、他の種類のパラメータ（例えば受信強度）を測定して無線スケジューリングに使用してもよい。
【図面の簡単な説明】
【００５６】
【図１】本発明の一実施形態に係る移動体通信システムの構成を示すブロック図である。
【図２】本発明の一実施形態に係る基地局（無線装置）１の構成を示すブロック図である。
【図３】本発明の一実施形態に係るスケジューラ（無線スケジューリング装置）１６の構成を示すブロック図である。
【図４】図３に示すスケジューラ１６の動作フローを示すフローチャートである。
【図５】本発明の一実施形態に係る基地局（無線装置）１の構成を示すブロック図である。
【符号の説明】
【００５７】
１…基地局（無線装置）、２…移動端末、１１…送信バッファ、１２…無線フレーム生成部、１３…無線部、１３ａ…受信部、１３ｂ…送信部、１４…アンテナ、１５…ＣＮＲ測定部、１６…スケジューラ（無線スケジューリング装置）、２１…フロータグ生成・更新部、２２…フロータグ記憶部、２３…長区間選別部、２４…短区間選別部、３１…フロー仮想部。
【図１】
2006157797.tif 000003
【図２】
2006157797.tif 000004
【図３】
2006157797.tif 000005
【図４】
2006157797.tif 000006
【図５】
2006157797.tif 000007